(57)【要約】      （修正有）【課題】足の裏ツボ押し棒と杖の兼用できる伸縮自在杖の提供。【解決手段】筒止め部１−Ａ、１−Ｂの間に、半割成型した螺旋溝付回転筒左  右２をツマミ突起を取り込んで合体し、杖上部に別に成型した締め止め輪(  ろ)を装着し、これも別途成型した把手（い）を差し込んで長さ調整を可能  にした上で、回転筒２を回してツマミ突起に連結する可動軸と支柱８を上下  させてツボ押し棒７を杖内外に出し入れし、杖と足の裏ツボ押しを兼用させ  る。【選択図】図１
2006000591.tif 000002
【特許請求の範囲】
【請求項１】
杖の上部把手部分を除いて半割にしたその左右それぞれに、段差、溝、窓をつけた中空部と、筒止め部上下、心棒突起、嵌め込み用凹凸などを成型加工して、その片方の中空部に、木質先端とその取付ネジおよび隙間防止のため片面を窓と同型に成型したツボ押し棒、それを押し出し支える支柱、ツマミ突起と受け止め用頭部の付いた可動軸のそれぞれを連結したものを組み込み、他の半割杖を被せてそれぞれの凹凸を嵌め込んで合体し、筒止め部の間に、これも半割成型した螺旋溝付回転筒左右をツマミ突起を取り込んで合体し、杖上部に別に成型した締め止め輪を装着し、これも別途成型した把手部分を差し込んで長さ調整を可能にした上で、回転筒を回してツマミ突起に連結する可動軸と支柱を上下させてツボ押し棒を杖内外に出し入れし、杖と足の裏ツボ押しを兼用させる健康用具。
【発明の詳細な説明】
【発明の詳細な説明】
【技術分野】
【０００１】  本発明は、足の裏ツボ押し棒を杖の下部に仕込み、必要に応じ杖上部の回転筒を回して押し出して使用できるようにし、必要のないときは回転筒を逆に回してこれを収め杖として使う、杖と足の裏ツボ押し棒を兼用させる装置であると同時に、使用者の身長差、ツボ押し時の把手の位置、など、それぞれの個性に応じた杖の長さを調整できる伸縮自在装置を加味したものである。
【背景技術】
【０００２】  足の裏ツボ押し棒は足をあぐらに組むか、椅子の場合は半跏趺坐の姿勢にならなければ足の裏を押すことの出来ない用具である。よしんば杖に取り付けたとしても突起物は杖としては邪魔であり安全性に欠ける。また杖の長さも使用者の要求は多様であるからその都度調節しなければならなかった。
【発明が解決しようとする課題】
【０００３】  杖とツボ押しの兼用はツボ押し棒を杖の中に収納し必要に応じて出し入れすればよい。そのためには杖内部を空洞にしツボ押し棒とそれを動かす仕組みを内蔵させればよい。どのような仕組みにするか。ツボ押し棒にかかる力を支えるにはどうするか。ツボ押し棒を収めた後、杖に隙間が空いては困る。ツボ押し棒は木質が適当であるが、それでは接続部が弱い。それらを解決するにはどうすればよいかなど足の裏ツボ押し棒と杖の兼用の可能性と安全性、美観及びその仕組みの簡便さと堅固さを課題とした。またツボ押しをするにしても杖を使うにしても使用者の身長はさまざまであるから杖自体の長さを使用者の要求に合わせて調整しなくてはならない。どうすれば簡便な仕組みで解決できるか、これも課題とした。
【解決するための手段】
【０００４】  ツボ押し棒を収納しそれを出し入れするには杖内部に溝と窓を持つ空洞を設け、その中にツマミ突起付可動軸、支柱、ツボ押し棒一式を組み込み、溝から外に出したツマミ突起を上下させればよい。ツボ押し棒にかかる力を支えるためには空洞内に段差をつけてひと回り大きく設計した軸頭部で支えれば可能だと考えた。しかし一本の杖の中に下は細く上が太い段差のついた穴を空けるのは容易でない上、その中にひと回り大きい軸頭部を差し込むことはできないから杖を半割にして段差のある空洞と溝および窓、ツボ押し棒取付用心棒突起を持つ成型物を造り、その中にツボ押し棒一式を組み込んで合体すれば解決すると判断した。杖上部の溝から外に出たツマミ突起を上下させる手段として、螺旋溝付回転筒を使えばよいと考え、これを半割成型し、杖本体と同時成型した上下筒止め部の間に嵌めて回すことにより螺旋溝に沿ってツマミ突起が溝を上下し、これに連結する可動軸を上下させ、連結する支柱によってツボ押し棒を窓から出し入れさせれば杖との兼用が可能になる、などの手段を取り、ツボ押し棒を収めたとき隙間を空けない方法にはツボ押し棒の外形を窓と同形にし、木の感触を保つには先端に取付ネジを設けて木の先端を装着させ、半割杖や半割回転筒の合体には修理などのため接着せず各部に嵌め込み用凹凸を成型してこれに対応し、使用者の身長差その他の要求による杖の長さの調節には、杖の把手部分を別成型し合体後筒状になる杖上部に差し込み、伸縮させて締め輪により長さを決める、などの手段を取った。
【発明を実施するための最良の形態】
【０００５】  発明の実施の形態について図面を参照して説明する。
図２に見られるように、上部把手部を除いた杖本体の半割１、１’を筒止め上１−Ａ、１’−Ａ、筒止め下１−Ｂ、１’−Ｂ、溝５、５’、窓６、６’、段差１−Ｃ、１’−Ｃ、心棒突起４、４’、嵌め込み凹凸１２、１３を付けて成型し、その右半割分１の中に図５に見えるようにツボ押し棒７、支柱８を可動軸９に連結したものを（Ｃ）のようにツマミ突起９−２を溝５の外に出して組み入れ杖左半割１’を被せてそれぞれの凹凸で合体し筒止めの間に図３に示す回転筒右半割２−１をツマミ突起９−２を螺旋溝３に取り入れて嵌め込みその上に回転筒左半割２−２を被せて凹部１２と凸部１３によって合体した後、杖上部に図４に示す締め止め輪  ろ  を装着、同じく図４に示す伸縮把手  い  を差し入れて締め止め輪  ろ  を回して止めて杖を適度の長さに決めた後、回転筒２を回転させればツマミ突起９−２が螺旋溝３に沿って押し下げられ、同時に可動軸９が支柱８を、さらに心棒突起４に嵌めたツボ押し棒７を押してこれを外に出し、段差１−Ｃによって可動軸頭部９−１で止まり、足の裏を乗せてツボを押す準備が整う。ツボ押し棒使用後は回転筒を逆に回してツボ押し棒を収納し、杖として使用する。ツボを押す先端木質部１１は鋭角なものや丸いものなど異なる要求により先端取付ネジ１０で使用者の体調に合った形や材質のものを装着し、最後に滑り止めゴム１４を嵌めて完成する。
【発明の効果】
【０００６】  本発明は、上述のように構成されているので、次に記載する効果を奏する。
【０００７】  請求項１に述べたように、本発明は回転筒を回すだけでツボ押し棒を出したり収納できる簡便さと使用者の個性に合った杖の長さ調節の可能性と安全性を持つ健康用具と杖の兼用具であるから杖として使用途中の立った姿勢でも、腰かけた姿勢、寝た姿勢その他如何なる場所においてもツボ押し棒の使用が可能になり、更に嵌め込み凹凸と締め止め輪を外すせば修理が容易である、などの効果を得た。
【図面の簡単な説明】
【図１】  完成品の平面図で（ａ）足の裏ツボ押し棒使用時（ｂ）杖使用時の図である。
【図２】  把手部を除いた杖本体左右半割分拡大図である。
【図３】  図２の杖本体筒止め部に嵌めるための左右半割回転筒の拡大図である。
【図４】  伸縮用把手とそれを締め止める締め止め輪の拡大図である。
【図５】  可動軸、支柱、ツボ押し棒の各部を示したもので、（ｃ）はそれらを図２の右半割分に組み込んだところを示す図である。
【図６】  （ｄ）は合体前の右半割本体に作図上回転筒左半割分を付けた図で、（ｅ）はすべてを組み込み終えた右半割分である。
【図７】  合体した本体に締め止め輪と伸縮把手をつけた部分拡大図で、（イ）は最も背の低い杖を示し、（ロ）は背を高くする途中を示す。
【図８】  完成品の断面図で、（ｆ）はツボ押し棒使用時、（ｇ）は杖使用時を示す。
【符号の説明】
１°組み立て完成した杖本体の見取図
１  把手部を除いた杖右半割分断面図
１’同上杖左半割分断面図
１−Ａ  右半割筒止め上
１−Ｂ  右半割筒止め下
１’−Ａ  左半割筒止め上
１’−Ｂ  左半割筒止め下
２  軸上下用回転筒見取図
２−１  回転筒右半割分断面図
２−２  回転筒左半割分断面図
３  螺旋溝
４  右半割心棒突起
４’左半割心棒突起
５  右半割分溝
５’左半割分溝
６  右半割分窓
６’左半割分窓
７  ツボ押し棒
８  支柱
９  可動軸
９−１  可動軸頭部
９−２  可動軸ツマミ突起部
１０  ツボ押し棒先端取り付けネジ
１１  ツボ押し棒先端木部
１２  嵌め込み用凹部
１３  嵌め込み用凸部
１４  滑り止めゴム
い  伸縮把手
ろ  締め止め輪
【図１】
2006000591.tif 000003
【図２】
2006000591.tif 000004
【図３】
2006000591.tif 000005
【図４】
2006000591.tif 000006
【図５】
2006000591.tif 000007
【図６】
2006000591.tif 000008
【図７】
2006000591.tif 000009
【図８】
2006000591.tif 000010